(57)【要約】【課題】  火災時に複層ガラスの脱落を防止できるサッシを提供する。【解決手段】本発明にかかるサッシ１において、框３７は複層ガラス１５の縁部１５ｄを保持するガラス保持溝３１を有し、ガラス保持溝３１は複層ガラスの一面側に位置する一面側溝壁３１ａと他面側に位置する他面側溝壁３１ｂと、複層ガラスの外周側に位置する溝底３１ｃとで構成してあり、一面側溝壁３１ａは、ガラス保持溝３１の開口部に溝底側へ突設した返し部３５を有し、間口補強材１９は、ガラス保持溝３１内に配置してあり、一面側溝壁側に位置する一面側壁部１９ａと、他面側溝壁側に位置する他面側壁部１９ｂと、溝底側に位置する底側壁部１９ｃとを有し、一面側壁部１９ａのガラス保持溝開口側端１９ｄを一面側溝壁３１ａと返し部３５との間に係止してあると共に、一面側溝壁３１ａと一面側壁部１９ａとの間に加熱発泡材４２ａが設けてある。【選択図】図１
2016023448.tif 000002
【特許請求の範囲】
【請求項１】
複層ガラスと、複層ガラスの縁部に取付ける框と、間口補強材とを備え、框は複層ガラスの縁部を保持するガラス保持溝を有し、ガラス保持溝は複層ガラスの一面側と他面側とに位置する溝壁と、複層ガラスの外周側に位置する溝底とで構成してあり、一面側溝壁は、ガラス保持溝の開口部に溝底側へ突設した返し部を有し、間口補強材は、ガラス保持溝内に配置してあり、一面側溝壁側に位置する一面側壁部と、他面側溝壁側に位置する他面側壁部と、溝底側に位置する底側壁部とを有し、一面側壁部のガラス保持溝開口側端を一面側溝壁と返し部との間に係止してあると共に、一面側溝壁と一面側壁部との間に加熱発泡材が設けてあることを特徴とするサッシ。
【発明の詳細な説明】
【技術分野】
【０００１】
本発明は、複層ガラスを備えるサッシに関する。
【背景技術】
【０００２】
特許文献１には、複層ガラスの縁部を框のガラス保持溝で保持するサッシが開示されている。
【先行技術文献】
【特許文献】
【０００３】
【特許文献１】特開２０００−２０３８９５号公報
【発明の概要】
【発明が解決しようとする課題】
【０００４】
しかし、複層ガラスの室外側（一面側）で火災が発生した場合、複層ガラスが火災の熱を受けて複層ガラスが変形したり割れて、框から脱落し、火炎や煙が複層ガラスの一面側から他面側へ連通するという問題があった。
【０００５】
そこで、本発明は、火災時に複層ガラスの脱落を防止できるサッシの提供を目的とする。
【課題を解決するための手段】
【０００６】
請求項１に記載の発明は、複層ガラスと、複層ガラスの縁部に取付ける框と、間口補強材とを備え、框は複層ガラスの縁部を保持するガラス保持溝を有し、ガラス保持溝は複層ガラスの一面側と他面側とに位置する溝壁と、複層ガラスの外周側に位置する溝底とで構成してあり、一面側溝壁は、ガラス保持溝の開口部に溝底側へ突設した返し部を有し、間口補強材は、ガラス保持溝内に配置してあり、一面側溝壁側に位置する一面側壁部と、他面側溝壁側に位置する他面側壁部と、溝底側に位置する底側壁部とを有し、一面側壁部のガラス保持溝開口側端を一面側溝壁と返し部との間に係止してあると共に、一面側溝壁と一面側壁部との間に加熱発泡材が設けてあることを特徴とするサッシである。
【発明の効果】
【０００７】
請求項１に記載の発明によれば、間口補強材は一面側壁部が一面側溝壁と返し部との間に係止して框の一面側溝壁の変形を抑えると共に火災時に火炎の熱を受けて加熱発泡材が発泡することで、間口補強材が開くのを規制するので、複層ガラスを保持して、框から複層ガラスが脱落するのを防止できる。また、複層ガラスの一枚が割れて一部が欠損しても、複層ガラスの縁部を間口補強材が掴んで保持状態を維持し、間口補強材と複層ガラスの縁部との間に隙間ができないようにするから、かかる隙間から火炎や煙が連通するのを防止できる。
更に、火災時に加熱発泡材が発泡して間口補強材と框との間を塞ぐので、間口補強材と框との間から火炎や煙が連通するのを防止できる。
【図面の簡単な説明】
【０００８】
【図１】本発明の第１実施の形態にかかるサッシの横断面図である。
【図２】図１に示すＡ−Ａ位置の縦断面図である。
【図３】外障子の召合せ框の中空部に装着する支持部材と支持部材に取付けた加熱発泡部材の図であり、（ａ）は召合せ框への収まり状態を示す平面図、（ｂ）は平面図、（ｃ）は（ｂ）の左側面図である。
【図４】内障子の召合せ框の中空部に装着する支持部材と支持部材に取付けた加熱発泡部材の図であり、（ａ）は召合せ框への収まり状態を示す平面図、（ｂ）は平面図、（ｃ）は（ｂ）の左側面図である。
【図５】本発明の第２実施の形態にかかるサッシの横断面図である。
【図６】図２に示すＢ−Ｂ位置の縦断面図である。
【図７】本発明の第１実施の形態にかかるサッシの変形例であって、召合せ部を抜き出して示す横断面図である。
【図８】本発明の第１実施の形態にかかるサッシの変形例であって、召合せ部を抜き出して示す横断面図である。
【発明を実施するための形態】
【０００９】
以下に、添付図面を参照して本発明の実施の形態を説明するが、まず図１及び図２を参照して本発明の第１実施の形態について説明する。
本発明の第１実施の形態にかかるサッシ１は、断熱防火を施した引違いの掃出しサッシであり、枠３と外障子５と内障子７とを備えている。
枠３は、左右の縦枠９、９と、上枠１１と、下枠１３とを枠組みしてある。
外障子５及び内障子７と、これらに対応する枠３の部分は、略同じ構成であるから以下の説明では外障子５と対応する枠３の部分について説明し、内障子７及び対応する枠３の部分には、外障子５と対応する枠の部分と同一の作用効果を奏する部分と同一の符号を付してその部分の詳細な説明を省略すると共に内障子７の説明では外障子５と異なる点を説明する。
図１に示すように、外障子５は、複層ガラス１５と、複層ガラス１５の縁部に取付ける框１７と、間口補強材１９とを備えている。
複層ガラス１５は、室外側に設けた網入りガラス１５ａと、室内側に設けた網のないガラス（以下単に「ガラス」という）１５ｂとを有し、網入りガラス１５ａとガラス１５ｂの間にスペーサ１５ｃが配置されている。
図１及び図２に示すように、框１７は、上框２１と、下框２３と、戸先框２５と召合せ框（框）２７とを有し、図２に示すように、上框２１と下框２３との間には中桟２９が設けてある。框１７及び中桟２９はアルミニウム製である。
各框２１、２３、２５、２７及び中桟２９には、各々複層ガラス１５の縁部１５ｄを保持するガラス保持溝３１が形成してあり、ガラス保持溝３１の開口部に取付けたグレイジングチャンネル３３を介して複層ガラス１５の縁部１５ｄを保持している。
図１に示すように、各ガラス保持溝３１は、複層ガラス１５の一面側に位置する一面側溝壁３１ａと、複層ガラス１５の他面側に位置する他面側溝壁３１ｂと、複層ガラス１５の外周側に位置する溝底３１ｃとで構成してある。
召合せ框２７のガラス保持溝３１の開口部には、一面側溝壁３１ａ及び他面側溝壁３１ｂに、溝底３１ｃ側へ突設した返し部３５が形成されている。また、召合せ框２７には室内側（他面側）に突設し且つ溝底３１ｃの裏面側に亘る中空部３７が設けてある。中空部３７内にはスチール製の中空部補強材３９が配置されている。
【００１０】
間口補強材１９は、召合せ框２７のガラス保持溝３１内に配置してあり、一面側溝壁３１ａ側に位置する一面側壁部１９ａと、他面側溝壁３１ｂ側に位置する他面側壁部１９ｂと、溝底３１ｃ側に位置する底側壁部１９ｃとを有し、横断面がガラス保持溝３１の開口部側を開いた略コ字形状を成している。また、間口補強材１９は、横断面において一面側壁部１９ａの寸法を他面側壁部１９ｂよりも長くしてある。間口補強材１９はスチール製である。
間口補強材１９において、一面側壁部１９ａのガラス保持溝開口側端１９ｄを一面側溝壁３１ａと返し部３５との間に挿入して係止してある。また、本実施の形態では、間口補強材１９は、ねじ３６により中空部補強材３９に固定してある。
ガラス保持溝３１の一面側溝壁３１ａと間口補強材１９の一面側壁部１９ａとの間に第１加熱発泡材４２ａが設けてある。第１加熱発泡材４２ａは、火災時等の熱を受けると発泡して体積を膨張するものである。
尚、内障子７では、間口補強材１９は、横断面において、他面側壁部１９ｂの寸法を一面側壁部１９ａよりも長くしており、他面側壁部１９ｂのガラス保持溝開口側端１９ｄを他面側溝壁３１ｂと返し部３５との間に挿入して係止してある。尚、内障子７では他面側溝壁３１ｂと間口補強材１９の他面側壁部１９ｂとの間に第１加熱発泡材４２ａが設けてある。
【００１１】
戸先框２５は室内側と戸先側とに亘る中空部４１が設けてあり、中空部４１の戸先側に外障子５を閉じたときに縦枠９に対向する対向部４３が形成してある。
尚、内障子７の召合せ框２７は、外障子５の召合せ框と略同じ構成であるが、中空部３７を２つの中空部３７ａ、３７ｂに分ける分離壁部４５が設けてあり、各中空部３７ａ、３７ｂに中空部補強材３９ａ、３９ｂが設けてあり、これらの中空部補強材３９ａ、３９ｂは分離壁部４５にねじ４７で固定してある。
図２に示すように、下框２３と中桟２９の下側のガラス保持溝３１には他の間口補強材５３が設けてある。この間口補強材５３は溝底側壁部５３ａと一面側壁部５３ｂとで断面略Ｌ字形状を成している。
【００１２】
また、本実施の形態では、図１に示すように、内障子７では、召合せ框２７のガラス保持溝３１は、他面側溝壁３１ｂに返し部３５を設けてあり、間口補強材１９は他面側壁部１９ｂの寸法を一面側壁部１９ａよりも長くしており、その他面側壁部１９ｂのガラス保持溝開口側端１９ｄを他面側溝壁３１ｂと返し部３５との間に係止し、更に他面側溝壁３１ｂと他面側壁部１９ｂとの間に第１加熱発泡材４２ａを設けている。
【００１３】
ここで、本実施の形態に用いられているその他の加熱発泡材について説明する。図１に示すように、召合せ框２７のガラス保持溝３１の溝底３１ｃには、間口補強材１９の底側壁部１９ｃに対向する位置に第２加熱発泡材４２ｂが設けてある。また、間口補強材１９の底側壁部１９ｃにはグレイジングチャンネル３３に対向する位置に第３加熱発泡材４２ｃが設けてある。
中空部３７内に設けてある中空部補強材３９には中空に向けて発泡する第４加熱発泡材４２ｄが設けてある。
外障子５の召合せ框２７の室内側面及び内障子７の召合せ框２７の室外側面には各々対向する面に第５加熱発泡材４２ｅが設けてある。
戸先框２５の中空部４１内には室外側壁に第６加熱発泡材４２ｆが設けてあると共に、対向部４３には第７加熱発泡材４２ｇが設けてあり、各縦枠９には各々閉じた障子５、７の戸先に対向する室内側見付壁部４７に第８加熱発泡材４２ｈが設けてある。戸先框２５のガラス保持溝３１の溝底３１ｃには、第９加熱発泡材４２ｉが設けてある。
図２に示すように、下框２３と中桟２９の上側の各ガラス保持溝３１において、断面Ｌ字形状を成す間口補強材５３の室内側に第１０加熱発泡材４２ｊが設けてあり、上框２１と中桟２９の下側ガラス保持溝３１には溝底の室内側に第１１加熱発泡材４２ｋが設けてある。
上框２１には案内レール５５との対向面に第１２加熱発泡材４２ｍが設けてあり、その室内側には上枠１１との対向面に第１３加熱発泡材４２ｎが設けてある。同様に下框２５には、その中空部５７内に第１４加熱発泡材４２ｐが設けてあり、下枠１３に設けた走行レール５９を挟む両側に第１５加熱発泡材４２ｑが設けてある。また、第１５加熱発泡材４２ｑの室内側には下枠１３との対向面に第１７加熱発泡材４２ｓが設けてある。尚、上框２１において第１３加熱発泡材４２ｎの室外側に設けてある第１８加熱発泡材４２ｔは、外障子５と内障子７との召合せ位置の上枠１１に対応して設けてある。同様に下框２３において第１７加熱発泡材４２ｓの室外側に設けてある第１９加熱発泡材４２ｕは召合せ位置の下枠１３に対応して設けてある。
尚、内障子７の上框２１には、スチール製の補強材２１ａの上と補強材２１ａから外れた位置に各々第１３加熱発泡材４２ｎが設けてある。
上枠１１及び下枠１３には、外障子５に当接する気密材を取付ける見付縦壁６１の室外側面に第１６加熱発泡材４２ｒが設けてある。
ここで、図１に示す外障子５と内障子７の召合せ部分における上枠１１との構造及び加熱発泡材について説明する。
図２に示すように、上枠１１の召合せ位置には、外障子５と内障子７とのそれぞれに対応する位置に樹脂材製の風止め板６７が設けてあり、閉じ状態にある障子５、７の召合せ位置で上枠１１を通じて室外側から室内側に風雨が吹き込むのを防止してある。
図３及び図４に示すように、この風止め板６７に対応して、外障子５と内障子７の各召合せ框２７には支持部材７１と共に第２１加熱発泡材４２ｘが設けてある。
図３に示すように、外障子５の召合せ框２７では、その中空部の上端部と下端部とに各々支持部材７１が挿入されており、この支持部材７１は補強材３９（図１参照）の上方と下方に設けてある。支持部材７１は直方体形状の樹脂製部材、例えばＣＲ（クロロプレン）スポンジであり、支持部材７１の上底に第２１加熱発泡材４２ｘが取付けてあり、隣合う２つの側面には各々第２２加熱発泡材４２ｙが取付けてある。尚、支持部材７１には側部に切除部７３が形成してあり、図３（ａ）に示すように、切除部７３に係合部材７５を係合して召合せ框２７に取付けてある。
外障子５の召合せ框２７の上端部では、第２１加熱発泡材４２ｘを上にして中空部３７内に挿入してあり、下端部では、第２１加熱発泡材４２ｘを下にして中空部３７に挿入してある。
図４に示すように、内障子７の召合せ框２７には、立方体形状の支持部材７１が中空部３７ａに挿入してあり、内障子７の召合せ框２７に用いられる支持部材７１には、その一面に第２１加熱発泡材４２ｘのみが取付けてある。内障子７の召合せ框２７の上端部では第２１加熱発泡材４２ｘを上にして、下端部では、第２１加熱発泡材４２ｘを下にして中空部３７に挿入してある。
【００１４】
次に、第１実施の形態にかかるサッシの作用及び効果について説明する。
図１に示すように、第１実施の形態にかかるサッシ１によれば、外障子５の召合せ框２７に設けた間口補強材１９は一面側壁部１９ａがガラス保持溝３１の一面側溝壁３１ａと返し部３５との間に係止して召合せ框２７の一面側溝壁３１ａの変形を抑えると共に、ガラス保持溝３１の一面側溝壁３１ａと間口補強材１９の一面側壁部１９ａとの間に設けた第１加熱発泡材４２ａが火災時に火炎の熱を受けて発泡することで、間口補強材１９の一面側壁部１９ａを他面側へ向けて押し付け、間口補強材１９が開くのを規制して複層ガラス１５を保持して、框１７から複層ガラス１５が脱落するのを防止できる。また、第１加熱発泡材４２ａが発泡することで、ガラス保持溝３１の一面側溝壁３１ａと間口補強材１９の一面側壁部１９ａとの間に耐熱層を形成し、一面側壁部１９ａの耐熱性があがるから一面側溝壁３１ａが容易に溶けずに残すことができる。
複層ガラス１５の一枚、例えばガラス１５ｂが割れて一部が欠損しても、複層ガラス１５の縁部１５ｄを間口補強材１９が掴んで保持状態を維持し、間口補強材１９と複層ガラス１５の縁部１５ｄとの間に隙間ができないようにしているので、かかる隙間から火炎や煙が連通するのを防止できる。
火災時に第１加熱発泡材４２ａが発泡して間口補強材１９と召合せ框２７との間を塞ぐので、間口補強材１９と召合せ框２７との間から火炎や煙が連通するのを防止できる。
また、内障子７では、召合せ框２７のガラス保持溝３１は、他面側溝壁３１ｂに返し部３５を設けてあり、間口補強材１９はその他面側壁部１９ｂのガラス保持溝開口側端１９ｄを他面側溝壁３１ｂと返し部３５との間に係止し、更に他面側溝壁３１ｂと他面側壁部１９ｂとの間に第１加熱発泡材４２ａを設けているので、室内側で発生した火災に対しても、外障子５と同様に火災や煙に対する作用効果を奏することができる。
【００１５】
召合せ框２７は中空部３７を備え、中空部３７の内周側にガラス保持溝３１を形成しているので、中空部３７により火災時における召合せ框２７の断熱性を高め、召合せ框２７の剛性を維持することができる。召合せ框２７の中空部３７内に中空部補強材３９を備え、間口補強材１９を中空部補強材３９にねじ３６で固定してあるから、間口補強材１９の脱落を防止できる。
召合せ框２７の中空部３７内には第４加熱発泡材４２ｄが設けてあり、火災時に第４加熱発泡材４２ｄが発泡して、中空部３７内を塞ぐので、火災時に中空部３７が煙突になるのを防止できる。また、第４加熱発泡部４２ｄが中空部内を塞ぐことで、火災時に召合せ框２７の耐熱性及び断熱性を高めることができる。
【００１６】
召合せ框２７のガラス保持溝３１には、第２加熱発泡材４２ｂ及び第３加熱発泡材４２ｃを設けてあり、火災時にこれらの加熱発泡材４２ｂ、４２ｃが発泡してガラス保持溝３１の溝底３１ｃ側と間口補強材１９の間及び間口補強材１９とガラス縁部１５ｄの間を塞ぐので、ガラス保持溝３１を通じて、火炎や煙が一面側から他面側へ連通するのを防止する。
外障子５の召合せ框２７の室内側面及び内障子７の召合せ框２７の室外側面の各々対向する面に第５加熱発泡材４２ｅが設けてあり、火災時にこれらの第５加熱発泡材４２ｅが発泡して、外障子５の召合せ框２７と内障子７の召合せ框２７との間を塞ぎ、火炎や煙が一面側から他面側へ連通するのを防止する。
戸先框２５の中空部４１に第６加熱発泡材４２ｆが設けてあり、下框２５の中空部５７内（図２参照）に第１４加熱発泡材４２ｐが設けてあり、火災時に各々発泡して各中空４１及び５７を塞いで、各中空部４１、５７を通じて火炎や煙が一面側から他面側へ連通するのを防止する。更に、第６加熱発泡部４２ｆが中空部内を塞ぐことで、火災時に戸先框２５の耐熱性及び断熱性を高めることができる。また、図１に示すように、戸先框２５のガラス保持溝３１の溝底３１ｃにはその上端部と下端部とに中空部４１に連通する等圧孔５４が形成してあり、ガラス保持溝３１と中空部４１との間を等圧にして中空部４１とガラス保持溝３１との間で雨水等が一方側から他方側へ引き込まれるのを防止しているが、第６加熱発泡材４２ｆが発泡することにより、この等圧孔５４を塞いで等圧孔５４を通じて火炎や煙が連通するのを防止することができる。
また、戸先框２５の対向部４３に設けた第７加熱発泡材４２ｇ、各縦枠９の室内側見付壁部４７に設けた第８加熱発泡材４２ｈは、火災時に発泡して、戸先框２５と縦枠９との間を塞ぎ、同様に、図２に示すように、上框２１と上枠１１の間に設けた第１２加熱発泡材４２ｍ、第１３加熱発泡材４２ｎ、第１６加熱発泡材４２ｒ、下框２３と下枠１３の間に設けた第１５加熱発泡材４２ｑ、第１６加熱発泡材４２ｒ、第１７加熱発泡材４２ｓが発泡して、各框２１、２３、２５と対向する枠１１、１３、９との間を塞ぐので、枠３の四周で閉状態にある外障子５との間を塞ぎ、火炎や煙が一面側から他面側へ連通するのを防止する。
更に、本実施の形態では、内障子７についても外障子５と同様の構成として且つ対応する位置に同様な加熱発泡材を配置しているので、室内側で火災が発生した場合にも火炎や煙が他面側から一面側へ連通するのを防止できる。
外障子５と内障子７との召合せ位置では、図２に示すように上框２１に設けた第１８加熱発泡部材４２ｔが上枠１１との間を塞ぐと共に図３及び図４に示すように上枠１１に設けた風止め板６７に対応する位置で第２１加熱発泡材４２ｘが上枠１１との間を塞ぐので、風止め板６７が焼け落ちた場合にも上枠１１との間を塞ぎ、火炎や煙が一面側から他面側へ連通するのを防止する。また、風止め板６７が溶融して落下した場合には召合せ框２７の中空部３７の上部に設けた各支持部材７１が受けて、溶融した風止め部６７が中空部内に入り込むのを防止できる。
更に、外障子５の召合せ框２７の中空部３７は、その上部と下部を第２２加熱発泡部材４２ｙが塞いで、第４加熱発泡材４２ｄと共に中空部３７が煙突になるのを防止すると共に召合せ框２７の耐熱性及び断熱性を高める。
【００１７】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。
図５及び図６に、本発明の第２実施の形態にかかるサッシ１を示す。この第２実施の形態にかかるサッシ１では、外障子５の召合せ框２７に設けた中空部３７がガラス保持溝３１の一面側溝壁３１ａに対応する位置まで設けてあり、且つ中空部３７を分離壁４５により２つの中空部分３７ａ、３７ｂに分割している。この第２実施の形態では、第１実施の形態と同様の作用効果を奏することができると共に、中空部３７に２つの中空部分３７ａ、３７ｂに分割してあるので、更に火災時における断熱性を高め、召合せ框２７の剛性を維持することができる。
【００１８】
本発明は、上述した実施の形態に限らず、本発明の要旨を逸脱しない範囲で種々変形可能である。
例えば、複層ガラス１５の縁部は、グレイジングチャンネル３３でガラス保持溝３１に保持することに限らず、図７に示すように、ガラス保持溝３１の一面側溝壁３１ａと他面側溝壁３１ｂとの間をそれぞれ、シール材６５で保持するものであっても良いし、図８に示すように、ビード６７で保持するものであっても良く、ガラス保持溝３１に複層ガラス１５の縁部１５ｄを保持する方法は限定されない。
間口補強材１９はその一面側壁部１９ａのみを一面側溝壁３１ａと返し部３５との間に係止したが、他面側壁部１９ｂも他面側溝壁３１ｂと返し部３５との間に係止しても良い。
本発明にかかるガラス保持溝３１に設けた返し部３５と間口補強材１９の係止構造及び第１加熱発泡材４２ａを設ける構造は、外障子５と内障子７とのいずれか一方にのみ採用するものであっても良いし、召合せ框２７に加えて、戸先框２３にも設けて、戸先框２３でも、召合せ框２７と同様に複層ガラス１５の縁部１５ｄを保持しても良い。
本発明にかかるサッシは、引違いサッシに限らず、ＦＩＸサッシであっても良いし、引き戸や開きドア等の戸であっても良い。
【符号の説明】
【００１９】
１    サッシ
１５  複層ガラス
１５ｄ  縁部
１９  間口補強材
１９ａ  一面側壁部
１９ｂ  他面側壁部
１９ｃ  底側壁部
２７  召合せ框（框）
３１  ガラス保持溝
３１ａ  一面側壁部
３１ｂ  他面側壁部
３１ｃ  溝底
３５  返し部
４２ａ  第１加熱発泡材（加熱発泡材）
【図１】
2016023448.tif 000003
【図２】
2016023448.tif 000004
【図３】
2016023448.tif 000005
【図４】
2016023448.tif 000006
【図５】
2016023448.tif 000007
【図６】
2016023448.tif 000008
【図７】
2016023448.tif 000009
【図８】
2016023448.tif 000010